(57)【要約】【課題】省エネルギーのための適切なアドバイスを提供する省エネアドバイス生成装置、省エネアドバイス生成方法及び省エネアドバイス生成プログラムを提供する。【解決手段】情報収集部１１は、世帯毎に電力、ガス又は水道水のいずれかの消費情報を収集する。比較情報作成部１３は、情報収集部１１により収集された消費情報を基に消費の傾向を表す監視指標の値を世帯毎に求め、当該監視指標を基に、監視指標毎に世帯間の比較情報を作成する。レポート生成部１４は、比較情報作成部１３により作成された比較情報を基に、各世帯に応じたアドバイスを生成する。報知部１５は、レポート生成部１４により生成された前記アドバイスを報知する。【選択図】図１
2015230571.tif 000002
【特許請求の範囲】
【請求項１】
世帯毎に少なくとも電力、ガス又は水道水のいずれかの消費情報を収集する情報収集部と、
前記情報収集部により収集された前記消費情報を基に消費の傾向を表す監視指標の値を前記世帯毎に求め、当該監視指標を基に、前記監視指標毎に前記世帯間の比較情報を作成する比較情報作成部と、
前記比較情報作成部により作成された前記比較情報を基に、各世帯に応じたアドバイスを生成するアドバイス生成部と、
前記アドバイス生成部により生成された前記アドバイスを報知する報知部と
を備えたことを特徴とする省エネアドバイス生成装置。
【請求項２】
前記比較情報作成部は、前記監視指標を基に、消費の傾向が悪い順に各前記世帯の順位付けを行い、
前記アドバイス生成部は、各前記世帯において順位が最も高い前記監視指標を選択し、選択した項目を基にアドバイスを生成する
ことを特徴とする請求項１に記載の省エネアドバイス生成装置。
【請求項３】
対応する前記監視指標を一つ有し前記アドバイスを提示するための構成情報を複数含むストーリー及び前記構成情報のテンプレートを記憶する記憶部をさらに備え、
前記アドバイス生成部は、前記記憶部に記憶されている前記ストーリーから提供候補となる前記ストーリーを抽出し、提供候補のストーリーの中で、アドバイスの提供対象の対象世帯の順位が最も高い前記構成情報に対応する前記ストーリーを選択し、選択した前記ストーリーに含まれる前記構成情報のテンプレートを前記記憶部から取得し、取得した前記テンプレートを前記対象世帯についての前記監視指標を基に修正してアドバイスを生成する
ことを特徴とする請求項２に記載の省エネアドバイス生成装置。
【請求項４】
前記報知部は、前記アドバイス生成部により変更された前記構成情報を、前記アドバイス生成部により選択された前記ストーリーに応じた順番に提供することを特徴とする請求項３に記載の省エネアドバイス生成装置。
【請求項５】
前記記憶部は、アドバイスを提供するための話の起承転結のそれぞれに対応する４つの構成情報を含む前記ストーリーを記憶し、
前記アドバイス生成部は、選択した前記ストーリーに含まれる４つの前記構成情報のテンプレートを修正してアドバイスを生成し、
前記報知部は、前記アドバイス生成部により修正された４つの前記構成情報を起承転結の順に出力することを特徴とする請求項４に記載の省エネアドバイス生成装置。
【請求項６】
世帯の特性を表す世帯情報を基に特性が似ている世帯毎にグループ分けするグループ生成部をさらに備え、
前記比較情報作成部は、前記グループ内の世帯間の比較情報を作成する
ことを特徴とする請求項１〜４のいずれか一つに記載の省エネアドバイス生成装置。
【請求項７】
世帯毎に少なくとも電力、ガス又は水道水いずれかの消費情報を収集する情報収集ステップと、
前記情報収集ステップにおいて収集された前記消費情報を基に消費の傾向を表す監視指標の値を前記世帯毎に求める監視指標取得ステップと、
当該監視指標取得ステップにおいて取得された前記監視指標を基に、前記監視指標毎に前記世帯間の比較情報を作成する比較情報作成ステップと、
前記比較情報作成ステップにおいて作成された前記比較情報を基に、各世帯に応じたアドバイスを生成するアドバイス生成ステップと、
前記アドバイス生成ステップにおいて生成された前記アドバイスを報知する報知ステップと
を有することを特徴とする省エネアドバイス生成方法。
【請求項８】
世帯毎に少なくとも電力、ガス又は水道水のいずれかの消費情報を収集し、
収集した前記消費情報を基に消費の傾向を表す監視指標の値を前記世帯毎に求め、
求めた前記監視指標を基に、前記監視指標毎に前記世帯間の比較情報を作成し、
作成した前記比較情報を基に、各世帯に応じたアドバイスを生成し、
生成した前記アドバイスを報知する
処理をコンピュータに実行させることを特徴とする省エネアドバイス生成プログラム。
【発明の詳細な説明】
【技術分野】
【０００１】
本発明は、省エネアドバイス生成装置、省エネアドバイス生成方法及び省エネアドバイス生成プログラムに関する。
【背景技術】
【０００２】
近年、家庭におけるスマートメータやHome  Energy  Management  System（ＨＥＭＳ）の普及に向けた動きが加速している。スマートメータやＨＥＭＳを用いることで電力消費量などのエネルギー需要データが大量に利用可能となる。加えて、従来通りの検針データもエネルギー需要データとして利用することができる。また、ガスや水道水についても同様の動きが考えられる。
【０００３】
エネルギー需要データを効果的に利用すれば、省エネルギー及び節電を実現できる。ただし、大量のエネルギー需要データがある場合、その中の適切なデータを用いて適切に判断することは、専門家以外にとっては困難な作業である。そのため、データを動的に処理し、省エネルギー及び節電のアドバイスを行うシステムが注目されてきている。
【０００４】
このような省エネルギーや節電のアドバイスを行うシステムとして、対象世帯の過去の計測データや計測データを用いて作成されたグラフを基にコメント文を作成して省エネ診断報告書を作成する従来技術がある。また、アドバイスの表示履歴などのユーザ情報を基に表示するアドバイスを決定する従来技術がある。
【先行技術文献】
【特許文献】
【０００５】
【特許文献１】特開２０１２−１８５６０８号公報
【特許文献２】特開２００５−３５２７１６号公報
【発明の概要】
【発明が解決しようとする課題】
【０００６】
しかしながら、単に対象世帯の計測データから報告書を作成する従来技術では、対象世帯における需要の変化しか扱わないため、世帯間でのエネルギー需要の比較ができない。そのため、対象世帯が他の世帯と比べて省エネルギーや節電を行うことが適切であるかの判定は困難であり、適切な省エネルギーや節電のアドバイスを提供することは困難である。また、表示履歴を用いる従来技術を用いても、世帯間の比較は行えず、適切な省エネルギーや節電のアドバイスを提供することは困難である。
【０００７】
開示の技術は、上記に鑑みてなされたものであって、省エネルギーのための適切なアドバイスを提供する省エネアドバイス生成装置、省エネアドバイス生成方法及び省エネアドバイス生成プログラムを提供することを目的とする。
【課題を解決するための手段】
【０００８】
本願の開示する省エネアドバイス生成装置、省エネアドバイス生成方法及び省エネアドバイス生成プログラムは、一つの態様において、情報収集部は、世帯毎に少なくとも電力、ガス又は水道水のいずれかの消費情報を収集する。比較情報作成部は、前記情報収集部により収集された前記消費情報を基に消費の傾向を表す監視指標の値を前記世帯毎に求め、当該監視指標を基に、前記監視指標毎に前記世帯間の比較情報を作成する。アドバイス生成部は、前記比較情報作成部により作成された前記比較情報を基に、各世帯に応じたアドバイスを生成する。報知部は、前記アドバイス生成部により生成された前記アドバイスを報知する。
【発明の効果】
【０００９】
本願の開示する省エネアドバイス生成装置、省エネアドバイス生成方法及び省エネアドバイス生成プログラムの一つの態様によれば、省エネルギーのための適切なアドバイスを提供することができるという効果を奏する。
【図面の簡単な説明】
【００１０】
【図１】図１は、実施例１に係るアドバイス生成装置のブロック図である。
【図２】図２は、モジュールの一例を示す図である。
【図３】図３は、ストーリーの一例を表す図である。
【図４】図４は、各世帯に提供されるレポートの一例の図である。
【図５】図５は、実施例１に係る省エネアドバイス生成装置によるレポート生成の処理のフローチャートである。
【図６】図６は、実施例２に係る省エネアドバイス生成装置のブロック図である。
【発明を実施するための形態】
【００１１】
以下に、本願の開示する省エネアドバイス生成装置、省エネアドバイス生成方法及び省エネアドバイス生成プログラムの実施例を図面に基づいて詳細に説明する。なお、以下の実施例により本願の開示する省エネアドバイス生成装置、省エネアドバイス生成方法及び省エネアドバイス生成プログラムが限定されるものではない。また、以下では、省エネアドバイスの作成対象として電気を用いて説明するが、これは一例であり、ガスや水道水などの他の光熱水データを用いて、省エネアドバイスの作成及び提供を行うこともできる。
【実施例１】
【００１２】
図１は、実施例１に係るアドバイス生成装置のブロック図である。各世帯には、時間毎の消費電力及び１日の電気料金を含む電力消費情報を取得する情報取得装置２が配置されている。
【００１３】
本実施例に係る省エネアドバイス生成装置１は、情報収集部１１、記憶部１２、比較情報作成部１３、レポート生成部１４及び報知部１５を有している。
【００１４】
情報収集部１１は、各世帯の情報取得装置２と接続されている。そして、情報収集部１１は、各世帯の電力消費情報の入力を各世帯の情報取得装置２から受ける。そして、情報収集部１１は、受信した電力消費情報を記憶部１２に記憶させる。ここで、情報取得装置２としては、例えば、スマートメータやＨＥＭＳなどがある。また、電力消費情報としては、例えば、スマートメータやＨＥＭＳが収集した時刻別データや月別データがある。さらに、情報収集部１１は、検針による月別データの入力を受けて、電力消費情報として記憶部１２に記憶させることができる。
【００１５】
記憶部１２は、メモリ又はハードディスクなどの記憶装置である。記憶部１２は、グラフ提示のページのテンプレートやアドバイス提供のページのテンプレートなどの省エネアドバイスに関する情報提供を行うためのレポートを作成するための要素の最小単位であるモジュールを記憶している。このモジュールのいくつかを順番に提供することで１つのストーリーが生成され、そのストーリーがレポートとして利用者に提供される。
【００１６】
図２はモジュールの一例を示す図である。例えば、モジュール１０１は、日別の電力消費のピーク時間帯のその世帯における電力使用量を表す棒グラフ及び使用状況を提供するモジュールである。モジュール１０２は、先週７日間の１４時台の電力使用量の他世帯との比較を示す棒グラフ及び使用状況を提供するモジュールである。モジュール１０３は、電気代が高かった日の電気の使用状況の他世帯との比較を示す折れ線グラフ及び使用状況を提供するモジュールである。モジュール１０４は、先週の電気代と先々週の電気代との比較を表す棒グラフ及び使用状況を提供するモジュールである。モジュール１０５は、１ヶ月間の毎日の電気代及び使用状況を提供するモジュールである。モジュール１０６は、各世帯が電力の供給を受けている電力系統の電力ピークを提供するモジュールである。モジュール１０７は、節電のアドバイスを提供するモジュールである。
【００１７】
モジュールは、例えば、図２のそれぞれを含む７種類のモジュールに分けられる。第１のモジュールは、モジュール１０１を例とする日別比較の棒グラフのモジュールである。第２のモジュールは、モジュール１０２を例とする他世帯比較の棒グラフのモジュールでる。第３のモジュールは、モジュール１０３を例とする時間別比較の折れ線グラフのモジュールである。第４のモジュールは、モジュール１０４を例とする先週と先々週とを比較する棒グラフのモジュールである。第５のモジュールは、モジュール１０５を例とする日別の比較を表すモジュールである。第６のモジュールは、モジュール１０６を例とする系統ピーク情報を提供するモジュールである。第７のモジュールは、モジュール１０７を例とする節電アドバイスを提供するモジュールである。ただし、モジュールのグループ化はこれに限らず、情報の提供に有利な分け方であれば他のグループ化を用いてもよい。
【００１８】
記憶部１２は、例えば、図２のモジュール１０１〜１０７の内容からそのモジュールの固有の情報を取り除いた７種類のモジュールのテンプレートを記憶しておく。
【００１９】
また、記憶部１２は、例えば、図３に示すような、各ストーリーの、テーマ、表示対象及び用いられる監視指標が登録されたテーブル２００を記憶している。図３は、ストーリーの一例を表す図である。本実施例では、一例としてテーブル２００にいくつかのストーリーを示すが、省エネのためのストーリーであれば使用できるストーリーに特に限定はない。
【００２０】
テーマは、利用者に提供するレポートの内容をどのようなテーマにするかを示す情報である。「電気代節約」は、各世帯の電気代を節約することを目的とするテーマである。また、「系統ピーク削減」は、地域全体での電力需要ピークを削減することを目的とするテーマである。「電気代節約」は、世帯の経済的メリットにつながり、「系統ピーク削減」は、電力の安定供給という地域のメリットにつながる。
【００２１】
表示対象は、各ストーリーがどのような世帯を対象とするストーリーであるかを示す情報である。ここで、全世帯の電力消費量の平均を「平均世帯の消費電力」とする。そして、図３の「多消費世帯」は、電力消費が平均世帯の消費電力と比べて多い世帯である。「省エネ世帯」は、電力消費の低い順に上位３０パーセンタイルまでの世帯である。「平均より良い世帯」は、電力消費が平均世帯の消費電力と比べて少ないが、省エネ世帯には含まれない世帯である。
【００２２】
監視指標は、電力消費の傾向を表す項目である。監視指標は１つのストーリーに対して１つ用いられる。そして、ストーリーは、用いられる監視指標を軸に内容が成立する。例えば、監視指標には、「前週・ピーク時間帯における消費量の平均値」や「前週の電気料金」がある。
【００２３】
また、記憶部１２は、ストーリー毎に、使用するモジュール及びその使用順を記憶している。ここで、本実施例では、４つのモジュールを用いて１つのストーリーを構成する。４つのモジュールの使用順は、起承転結の順番などストーリーの内容が利用者にとって把握しやすい順番となっている。特に、ストーリーの最後のモジュールには、アドバイスを提供するモジュールが割り当てられている。
【００２４】
また、記憶部１２は、各ストーリーでいずれの監視指標が用いられるかという、ストーリーに対応する監視指標の情報を記憶している。
【００２５】
また、記憶部１２は、各世帯の電力消費情報の入力を情報収集部１１から受けて記憶する。
【００２６】
さらに、記憶部１２は、各世帯毎にレポートの報告で用いたストーリーの番号をレポート生成部１４から取得する。そして、記憶部１２は、各世帯毎に以前のレポート報告で用いたストーリーの履歴を記憶する。
【００２７】
比較情報作成部１３は、記憶部１２から各ストーリーの監視指標の情報を取得する。そして、比較情報作成部１３は、記憶部１２に格納されている各世帯の消費電力情報を用いて、各世帯のストーリー毎の監視指標を算出する。
【００２８】
次に、比較情報作成部１３は、算出した監視指標を、電力消費の傾向の悪い順、すなわち、より多く電力を消費する傾向がある順番に並べて、各ストーリーにおける各世帯のランキングを求める。例えば、監視指標が先週７日間分の１４時の平均消費電力値であれば、監視指標の値が大きいほど電力消費の傾向が悪いといえる。また、例えば、監視指標が先月１ヶ月分の電気料金であれば、監視指標の値が大きいほど電力消費の傾向が悪いといえる。
【００２９】
ここで、各世帯に番号を振りその世帯番号を「ｈ」として表す。また、ストーリーの番号を「ｓ」として表す。そして、ストーリーｓにおける世帯番号ｈの世帯の比較情報作成部１３が求めたランキングの値を、以下では目的関数Ｏｂｊｓ，ｈとして説明する。
【００３０】
比較情報作成部１３は、求めた各ストーリーの各世帯のランキング、すなわち目的関数Ｏｂｊｓ，ｈをレポート生成部１４へ出力する。
【００３１】
次に、レポート生成部１４について説明するが、ここでは、ある世帯に対するレポートの生成について説明する。ただし、レポート生成部１４は、ここで説明する処理を全ての世帯に対して行う。以下では、ここでの説明でレポートの生成の対象としている世帯を、単に「対象世帯」という。
【００３２】
まず、レポート生成部１４は、記憶部１２に格納されている各世帯の消費電力情報を用いて、各世帯の先週７日間の消費電力の合計を求め、各世帯が、多消費世帯、省エネ世帯、平均より良い世帯のいずれの消費電力グループに含まれるかを判定する。ここで、本実施例では、平均世帯は、平均より良い世帯に含まれるものとする。
【００３３】
さらに、レポート生成部１４は、対象世帯における各ストーリーの目的関数Ｏｂｊｓ，ｈを比較情報作成部１３から取得する。
【００３４】
続いて、レポート生成部１４は、テーマを決定する。本実施例では、レポート生成部１４は、５週間を１つのレポート単位期間として、第１週又は第２週であれば、「電力代節約」をテーマとして選択する。また、第３週〜第５週のいずれかであれば、「系統ピーク削減」をテーマとして選択する。そして、レポート生成部１４は、記憶部１２に格納されているテーブル２００を参照し、異なるテーマのストーリーにおける目的関数Ｏｂｊｓ，ｈを０とする。
【００３５】
ここで、本実施例では、５週を周期としてテーマを循環させたが、テーマの選択の方法はこれに限らない。例えば、シーズンによってテーマを切り替えてもよい。具体的には、夏季に系統ピーク削減が強く求められるので、夏季にはテーマを「系統ピーク削減」とし、それ以外の季節はテーマを「電力代節約」にするとしてもよい。この場合、温度センサを設けて、レポート生成部１４は、計測された気温によりシーズンを判定して、テーマを切り替えてもよい。
【００３６】
また、レポート生成部１４は、テーブル２００を参照し、対象世帯が含まれる消費電力グループを表示対象とするストーリーを抽出する。そして、レポート生成部１４は、抽出したストーリー以外のストーリーにおける目的関数Ｏｂｊｓ，ｈを０とする。例えば、対象世帯が属する消費電力グループが多消費世帯の場合、レポート生成部１４は、多消費世帯以外の世帯を対象世帯とする４番のストーリーにおける目的関数Ｏｂｊｓ，ｈを０とする。
【００３７】
次に、レポート生成部１４は、ストーリー毎に使用するモジュールのテンプレートを初期化する。具体的には、レポート生成部１４は、平均世帯の電力消費量や系統情報ピークの情報などの、世帯に依存しない情報を求める。そして、レポート生成部１４は、求めた情報のモジュールへの書き込みやグラフ化などを行う。また、レポート生成部１４は、世帯に依存しない情報以外の情報に基づく箇所をクリアする。
【００３８】
さらに、レポート生成部１４は、対象世帯に対するひとつ前のレポート報告で使用したストーリーの情報を記憶部１２から取得する。そして、レポート生成部１４は、対象世帯に対するひとつ前のレポート報告で使用したストーリーにおける目的関数Ｏｂｊｓ，ｈを０とする。これにより、同じストーリーが繰り返し表示されることを回避することができる。
【００３９】
ここで、本実施例では、直前のレポート報告で使用したストーリーのみを除いたが、同じストーリーの表示頻度を下げるために、レポート生成部１４は、直近の所定回数のレポート報告で使用したストーリーを除いてもよい。
【００４０】
レポート生成部１４は、対象世帯の各ストーリーの目的関数Ｏｂｊｓ，ｈの値が最も大きいストーリーを抽出する。すなわち、レポート生成部１４は、対象世帯におけるｍａｘｓＯｂｊｓ，ｈを取得する。ここでのｈは対象世帯の世帯番号である。
【００４１】
さらに、抽出したストーリーが複数ある場合、レポート生成部１４は、予め決められた条件に従って１つのストーリーを選択する。ここで、予め決められた条件とは、ストーリーを絞り込める条件であれば特に限定はない。
【００４２】
例えば、省エネアドバイス生成装置１は、レポート報告を行う度に、利用者からそのレポートが好ましかったか好ましくなかったかの情報を取得する。そして、レポート生成部１４は、好ましいという評価の場合１を加算し、好ましくないという評価の場合１を減算することで、そのレポートで用いたストーリーの評価ポイントを記憶部１２に記憶する。そして、レポート生成部１４は、抽出したストーリーの中で、評価ポイントが最も高いストーリーを選択することができる。
【００４３】
レポート生成部１４は、記憶部１２が記憶しているストーリーに対応するモジュールの情報を取得し、初期化したモジュールのテンプレートの中から選択したストーリーで用いるモジュールのテンプレートを選択する。
【００４４】
次に、レポート生成部１４は、選択したテンプレートに対して対象世帯の消費電力情報を代入して各モジュールを生成する。
【００４５】
ここで、アドバイスを提供するモジュールの作成の一例について説明する。レポート生成部１４は、対象世帯の消費電力情報を用いて、対象世帯の需要ピークを判定する。レポート生成部１４は、需要ピークに応じて予め決められたアドバイスのテンプレートを有している。そして、レポート生成部１４は、判定した需要ピークに応じてアドバイスのテンプレートを取得し、取得したテンプレートを用いてアドバイスを生成する。そして、レポート生成部１４は、生成したアドバイスを提供するモジュールに埋め込む。例えば、対象世帯の需要ピークが１８時の場合、レポート生成部１４は、帰宅直後蒸し暑いときは一度換気してからエアコンのスイッチを入れることを促すアドバイスを生成する。また、対象世帯の需要ピークが２１時の場合、不要な照明を消すことを促すアドバイスを生成する。
【００４６】
また、例えば、レポートで用いるテーマが「電気代節約」の場合、レポート生成部１４は、ストーリーの最後のモジュールとして対象世帯のピーク時間電力に応じた節電アドバイスを埋め込んだモジュールを生成する。また、レポートで用いるテーマが「系統ピーク削減」の場合、レポート生成部１４は、ストーリーの最後のモジュールとしてストーリー毎に固定された節電アドバイスが埋め込まれたモジュールを生成する。
【００４７】
さらには、例えば、電力ピークが１４時台の場合、多消費世帯向けのストーリーでは、レポート生成部１４は、１４時台の節電を促進するためのアドバイスを提供するモジュールを生成する。具体的には、レポート生成部１４は、エアコンの節電やクールシェアを進めるアドバイスを提供するモジュールを生成する。また、省エネ世帯向けのストーリーでは、レポート生成部１４は、さらなる節電を促すために冷蔵庫の温度設定を弱めるアドバイスを提供するモジュールを生成する。
【００４８】
このように、レポート生成部１４は、対象世帯の需要ピークの時間帯、電力消費量の大小及び用いるテーマなどに応じて、提供するアドバイスを切り替える。
【００４９】
そして、レポート生成部１４は、生成した各モジュールを記憶部１２が記憶している使用順に従って並べストーリーを完成させレポートを生成する。
【００５０】
そして、レポート生成部１４は、世帯番号とともに生成したレポートを報知部１５へ送信する。さらに、レポート生成部１４は、報知部１５へ送信したレポートで使用したストーリーを世帯番号に対応付けて記憶部１２へ送信する。
【００５１】
報知部１５は、世帯番号とともにレポートの入力をレポート生成部１４から受ける。そして、報知部１５は、受信したレポートの報知を、世帯番号が示す世帯に対して行う。例えば、報知部１５は、各世帯に取り付けられた情報表示装置にレポートを送信して表示させることで、各世帯に対する報知を行う。
【００５２】
ただし、報知の方法は他の方法でもよく、例えば、報知部１５は、各世帯向けのレポートを印刷して出力し、担当者が出力された印刷物を各世帯に配布してもよい。
【００５３】
図４は、各世帯に提供されるレポートの一例の図である。図４に示すレポートは、図３の１番のストーリーを用いて生成されたレポートの例である。
【００５４】
図４で示すレポートのストーリーは、起承転結の流れになるようにモジュールが配置されている。最初に、省エネアドバイス生成装置１は、モジュール１１１により、系統の電力ピークの情報を提供し、電力ピークとなる時間の消費電力を抑えることが重要であることを示す。次に、省エネアドバイス生成装置１は、モジュール１１２により、対象世帯の電力消費パターンを用いて、対象世帯においても、一般的な傾向と同様に電力ピークにおいて消費電力が上がっていることを示す。次に、省エネアドバイス生成装置１は、モジュール１１３を用いて、他世帯との比較を用いて、対象世帯の消費電力が他世帯よりも多いことを示す。最後に、省エネアドバイス生成装置１は、モジュール１１４を用いて、対象世帯においてどのような電力消費を行えばよいかを提示するアドバイスを示す。
【００５５】
これにより、レポートが提供された対象世帯は、電力ピークでは電力供給が厳しく、当該世帯も同様に電力ピークにおける電力消費が多いが、他世帯よりも電力消費が多いので、アドバイスに従い節電を行おう考えることが予想される。
【００５６】
次に、図５を参照して、本実施例に係る省エネアドバイス生成装置１によるレポート作成の処理について説明する。図５は、実施例１に係る省エネアドバイス生成装置によるレポート生成の処理のフローチャートである。
【００５７】
レポート生成部１４は、レポート単位期間の第１週目又は第２週目かを判定する（ステップＳ１）。第１週目又は第２週目の場合（ステップＳ１：肯定）、レポート生成部１４は、電気代節約をテーマとするストーリーを選択する（ステップＳ２）。これに対して、第３週目〜第５週目の場合（ステップＳ１：否定）、レポート生成部１４は、系統ピークをテーマとするストーリーを選択する（ステップＳ３）。
【００５８】
次に、レポート生成部１４は、各テンプレートを初期化する（ステップＳ４）。
【００５９】
次に、レポート生成部１４は、各ストーリーの各世帯の監視指標を比較情報作成部１３から取得する。そして、レポート生成部１４は、各ストーリーで用いる監視指標について対象世帯の目的関数を算出する（ステップＳ５）。具体的には、レポート生成部１４は、各ストーリーにおける監視指標を用いた対象世帯の順位を求める。
【００６０】
次に、レポート生成部１４は、ストーリーの表示対象及び前回の使用時期から提示候補となるストーリーを抽出する（ステップＳ６）。この時、レポート生成部１４は、提示候補以外のストーリーの目的関数を０に設定する。
【００６１】
そして、レポート生成部１４は、提示候補のストーリーの中から対象世帯の目的関数の値が最も高いストーリーを選択する（ステップＳ７）。
【００６２】
さらに、レポート生成部１４は、目的関数の値が同じストーリーが複数ある場合には、予め決められた条件に一致するストーリーを１つ選択し、ストーリーの競合を解消する（ステップＳ８）。
【００６３】
その後、レポート生成部１４は、選択したストーリーに使用するモジュールの情報を記憶部１２から取得し、取得したモジュールの初期化したテンプレートを選択する。そして、レポート生成部１４は、選択したモジュールのテンプレートにデータを書き込む（ステップＳ９）。さらに、レポート生成部１４は、モジュールの使用順を記憶部１２から取得し、データを書き込んだモジュールを取得した使用順に並べる。
【００６４】
また、レポート生成部１４は、対象世帯へのレポートとして使用したストーリーの番号を記憶部１２に記録させる（ステップＳ１０）。
【００６５】
報知部１５は、生成されたレポートをレポート生成部１４から取得する。そして、報知部１５は、レポートし生成部１４により生成されたレポートを出力し、利用者に提示する（ステップＳ１１）。
【００６６】
その後、レポート生成部１４は、例えば、省エネアドバイス生成装置１の動作が停止されたか否かの判定などにより、レポートの生成を停止するか否かを判定する（ステップＳ１２）。レポートの生成を継続する場合（ステップＳ１２：否定）、レポート生成部１４は、ステップＳ１に戻る。これに対して、レポートの生成を停止する場合（ステップＳ１２：肯定）、レポート生成部１４は、レポートの生成の処理を停止する。
【００６７】
このように、本実施例に係る省エネアドバイス生成装置は、他世帯比較を用いてストーリーを決定しレポートを作成して、省エネ及び節電のためのアドバイスを各世帯に提供する。これにより、消費電力情報の中からの重要な情報の収集及び収集した情報を吟味した上での意思決定などに係る手間（「探索コスト」と呼ばれることがある。）を低減することができる。
【００６８】
特に、各モジュールに含まれる情報量を抑え単純で分かり易いものにし、起承転結のストーリーを意識した４点構成としたことにより、情報の受け手は、意味合いの流れが短時間で容易につかむことができる。例えば、需要が特に大きかった日を抽出し指摘した上で、該当日の時刻別グラフを提示することで、情報の受け手は、その日どのような生活をしていたために電力消費量が多かったのかに気付くことができる。
【００６９】
また、対象世帯の需要ピークの時間帯、電力消費量の大小及び用いるテーマに応じて提供するアドバイスを切り替えることで、情報の受け手は、どのような対策をとればよいかについて悩まずに、適切な対策を受け取ることができる。
【００７０】
また、本実施例に係る省エネアドバイス生成装置では、他世帯比較を用いた情報を提供することで、情報の受け手の社会規範に訴えかけて省エネ及び節電行動の促進を図ることができる。例えば、図４の例では、モジュール１１３は、対象世帯の直前１週間の１４時台の電力消費量が、省エネ世帯や平均世帯の電力消費量と比べて多く、省エネ世帯と比較すると３．６倍であることを情報の受け手に伝えている。
【００７１】
また、本実施例に係る省エネアドバイス生成装置では、例えば、図３の３番のストーリーでは省エネの度合いを金銭に換算し、さらに損失表現を用いるモジュールを採用する。このように、金銭で情報を提供することで、情報の受け手の注意をより高く喚起することができる。また、損失表現を用いることで、利益よりも損失を大きく意識する情報の受け手の損失回避性に訴えかけることができ、これによっても情報の受け手の注意をより高く喚起することができる。
【００７２】
また、以上の説明では、週１回レポートを報知する場合で説明したが、レポートの報知のタイミングには特に制限はない。
【実施例２】
【００７３】
図６は、実施例２に係る省エネアドバイス生成装置のブロック図である。本実施例に係る省エネアドバイス生成装置は、世帯の特性により比較する他世帯を限定することが実施例１と異なる。以下では、比較世帯の限定について主に説明する。以下の説明では、各部の実施例１と同じ機能については説明を省略する。
【００７４】
記憶部１２には、予め各世帯の人数、構成員の年齢、構成員の続柄及び構成員の性別を含む世帯情報が格納されている。
【００７５】
グループ生成部１６は、各世帯の世帯情報を記憶部１２から取得する。そして、比較情報作成部１３は、世帯情報から各世帯の特性を表す世帯特性を判定し、各世帯を世帯特性に依存するグループに分割する。例えば、１人暮らしの男性、１人暮らしの女性、親子世帯及び親子２代の世帯といった各世帯グループに分割する。
【００７６】
そして、グループ生成部１６は、各世帯がいずれの世帯グループに属するかの情報を比較情報作成部１３及びレポート生成部１４へ送信する。
【００７７】
比較情報作成部１３は、各世帯がいずれの世帯グループに属するかの情報をグループ生成部１６から受信する。そして、比較情報作成部１３は、世帯グループ毎に、その世帯グループに属する世帯の消費電力情報を用いて、ストーリー毎との監視指標を算出する。その後、比較情報作成部１３は、世帯グループ毎に、各世帯の目的関数を求めレポート生成部１４へ出力する。
【００７８】
レポート生成部１４は、対象世帯が属する世帯グループにおける世帯平均の消費電力を求め、さらに、その世帯グループにおける省エネ世帯、多消費世帯、平均より良い世帯を特定する。
【００７９】
また、レポート生成部１４は、対象世帯における各ストーリーの目的関数を比較情報作成部１３から取得する。
【００８０】
そして、レポート生成部１４は、テーマの決定及び提示候補とするストーリーの抽出を行う。その後、レポート生成部１４は、提示候補としたストーリーの中から対象世帯の目的関数の値が最大のストーリーを選択する。ここで、目的関数の値が最大のストーリーが複数ある場合、レポート生成部１４は、予め決められた条件にあうストーリーを１つ選択する。
【００８１】
そして、レポート生成部１４は、選択したストーリーで用いるモジュールのテンプレートにデータを書き込み使用順に並べてレポートを生成する。その後、レポート生成部１４は、生成したレポートを報知部１５へ送信する。また、レポート生成部１４は、レポートで使用したストーリーの情報を記憶部１２に格納させる。
【００８２】
以上に説明したように、本実施例に係る省エネアドバイス生成装置は、世帯の特性により世帯をグループ分けし、比較する他世帯を限定したうえで、対象世帯の電力消費について検討しアドバイスを生成している。
【００８３】
これにより、本実施例に係る省エネアドバイス生成装置は、電力の消費傾向が同じ世帯における対象世帯の電力消費の状態を判定することができ、より正確に対象世帯の電力消費の効率を判定することができる。また、本実施例に係る省エネアドバイス生成装置は、より適切なアドバイスを対象世帯に提供することができる。
【００８４】
また、以上の説明では、電力消費を例に説明したが、ガスや水道水などを用いることもできる。その場合、エネルギー消費を表すデータとして、光熱水データであるガスや水道水などの消費量などを用いることができる。
【００８５】
例えば、ガスの場合、ガス消費情報としては、例えば、ガス消費量の時刻別データや月別データや、ガスの使用料金のデータを用いることができる。そして、それらのガス消費情報を用いて、上述した電力の場合と同様の処理を行うことで、ガスについてのアドバイスを生成することができ、上述した効果をガスについて得ることができる。これは、水道水でも同様である。
【符号の説明】
【００８６】
１  省エネアドバイス生成装置
２  情報取得装置
１１  情報収集部
１２  記憶部
１３  比較情報作成部
１４  レポート生成部
１５  報知部
１６  グループ生成部
【図１】
2015230571.tif 000003
【図２】
2015230571.tif 000004
【図３】
2015230571.tif 000005
【図４】
2015230571.tif 000006
【図５】
2015230571.tif 000007
【図６】
2015230571.tif 000008